(57)【要約】【課題】ネットワークを介しての商品の注文の取得の手間を軽減する。【解決手段】ネットワーク４０を介して商品を販売する商品販売システムにおいて、商品を特定するための特定コードが掲載された印刷物１０と、ネットワーク４０に接続可能に構成され、特定コードを指定するための端末２０と、ネットワーク４０に接続可能に構成され、特定コードと該特定コードにより特定される商品とを対応づけて管理しておき、端末２０にて特定コードが指定された場合に、該特定コードによって特定される商品を認識し、該商品の注文を受け付ける商品販売提供サーバ３０とを設ける。【選択図】  図１
2004199431.tif 000002
【特許請求の範囲】
【請求項１】
ネットワークを介して商品を販売する商品販売方法であって、
ネットワークに接続可能な端末を介して入力された顧客情報を該顧客情報を識別可能な識別情報と対応づけて登録しておく処理と、
前記識別情報を入力するための第１の情報画面を前記端末に送信する処理と、前記第１の情報画面に入力された識別情報が予め登録されているものである場合に、前記商品を特定するための第２の情報画面を前記端末に送信する処理と、前記第２の情報画面にて特定された商品に関する情報が掲載された第３の情報画面を前記端末に送信する処理と、
前記第３の情報画面にて前記商品の注文が行われた場合に、前記第１の情報画面に入力された前記識別情報によって識別される顧客情報を販売先情報として前記商品の注文を受け付ける処理とを有することを特徴とする商品販売方法。
【請求項２】
請求項１に記載の商品販売方法において、
前記顧客情報を登録した際に、該顧客情報に対応づけられた前記識別情報と、前記第１の情報画面にアクセスするためのアクセス情報とを前記端末に通知する処理を有することを特徴とする商品販売方法。
【請求項３】
ネットワークを介して商品を販売する商品販売システムであって、
前記商品を特定するための特定コードが掲載された告知媒体と、
前記ネットワークに接続可能に構成され、前記特定コードを指定するための端末と、
前記ネットワークに接続可能に構成され、前記特定コードと該特定コードにより特定される商品とを対応づけて管理しておき、前記端末にて前記特定コードが指定された場合に、該特定コードによって特定される商品を認識し、該商品の注文を受け付ける商品販売提供手段とを有することを特徴とする商品販売システム。
【請求項４】
請求項３に記載の商品販売システムにおいて、
前記商品販売手段は、前記商品の販売先に関する販売先情報を該販売先情報を識別可能な識別情報と対応づけて管理しておき、前記端末にて前記識別情報が指定された場合に該識別情報によって識別される販売先に対して、前記商品の注文を受け付けることを特徴とする商品販売システム。
【請求項５】
請求項４に記載の商品販売システムにおいて、
前記商品販売手段は、前記販売先情報が前記識別情報と対応づけて管理されている販売先のみに対して商品の注文を受け付けることを特徴とする商品販売システム。
【請求項６】
告知媒体に掲載された特定コードによって指定された商品を販売する商品販売サーバであって、
前記特定コードと該特定コードにより特定される商品とを対応づけて管理しておき、前記端末にて前記特定コードが指定された場合に、該特定コードによって特定される商品を認識し、該商品の注文を受け付けることを特徴とする商品販売サーバ。
【請求項７】
請求項６に記載の商品販売サーバにおいて、
前記商品の販売先に関する販売先情報を該販売先情報を識別可能な識別情報と対応づけて管理しておき、前記端末にて前記識別情報が指定された場合に該識別情報によって識別される販売先に対して、前記商品の注文を受け付けることを特徴とする商品販売サーバ。
【請求項８】
請求項７に記載の商品販売サーバにおいて、
前記販売先情報が前記識別情報と対応づけて管理されている販売先のみに対して商品の注文を受け付けることを特徴とする商品販売サーバ。
【発明の詳細な説明】
【０００１】
【発明の属する技術分野】
本発明は、ネットワークを介して指定された商品を販売する商品販売方法、商品販売システム及び商品販売サーバに関する。
【０００２】
【従来の技術】
従来より、カタログを用いて商品等を購入する、いわゆるカタログショッピングにおいては、消費者が商品やサービス等を店舗等に出向くことなく家庭等にて容易に購入することができるため、利用者の数は少なくない。
【０００３】
また、近年、インターネットやパソコンが急速に普及し、個人が時間や場所を問わずにインターネットに接続することが容易に行われるようになってきている。また、それに伴い、インターネット上にホームページを開設し、このホームページを用いて情報を提供したり、商品等を販売したりする企業団体等が急速に増加している。
【０００４】
そこで、近年、カタログショッピングを取り扱う企業団体においては、カタログショッピングにおける商品等の注文及びその代金の決済を、インターネットを介して行うシステムが構築されており、利用者にとってもその利便性は高まっている。
【０００５】
インターネットを用いた一般的なカタログショッピングにおいては、消費者が、所望の商品が掲載されたカタログにて指定されるサイトにパソコン等の端末を用いてアクセスすると、カタログに掲載された商品を注文するための画面が消費者の端末に表示される。
【０００６】
消費者は、端末に表示された画面に、カタログに掲載された商品のうち所望の商品を指定するための商品コード等を入力し、また、消費者の氏名等の属性情報を入力するとともに、代金の支払方法を指定する。
【０００７】
これにより、カタログに掲載された商品の注文が行われ、また、指定された支払方法によって商品の代金が支払われることになる。
【０００８】
また、近年においては、カタログに掲載された商品を注文する際の消費者の手間を軽減するために、カタログに掲載された商品毎にバーコード情報を付与してカタログに掲載しておき、このバーコード情報を消費者の端末にて読み取ることにより商品の注文を行う仕組みが考えられている（例えば、特許文献１参照。）。
【０００９】
【特許文献１】
特開２００２−４９７９５号公報
【００１０】
【発明が解決しようとする課題】
しかしながら、上述したようなインターネットを用いたカタログショッピングにおいては、購入する商品毎に、その商品を取り扱う企業や店舗が運営するサイトにアクセスする必要があるため、その数が多い場合、全てのアクセス情報を把握しておくことができなくなる虞れがある。
【００１１】
また、複数の商品を購入する場合であって、それらの商品を取り扱う企業や店舗が互いに異なる場合、それぞれの企業や店舗が運営するサイトに順次アクセスし、商品を注文しなければならず、手間がかかってしまうという問題点がある。
【００１２】
また、サイト毎に、属性情報を入力したり決済方法を指定したりする必要が生じ、そのための手間がかかってしまうという問題点がある。
【００１３】
本発明は、上述したような従来の技術が有する問題点に鑑みてなされたものであって、カタログ等の告知媒体に掲載された商品のネットワークを介しての注文における手間を軽減することができる商品販売方法、商品販売システム及び商品販売サーバを提供することを目的とする。
【００１４】
【課題を解決するための手段】
上記目的を達成するために本発明は、
ネットワークを介して商品を販売する商品販売方法であって、
ネットワークに接続可能な端末を介して入力された顧客情報を該顧客情報を識別可能な識別情報と対応づけて登録しておく処理と、
前記識別情報を入力するための第１の情報画面を前記端末に送信する処理と、前記第１の情報画面に入力された識別情報が予め登録されているものである場合に、前記商品を特定するための第２の情報画面を前記端末に送信する処理と、前記第２の情報画面にて特定された商品に関する情報が掲載された第３の情報画面を前記端末に送信する処理と、
前記第３の情報画面にて前記商品の注文が行われた場合に、前記第１の情報画面に入力された前記識別情報によって識別される顧客情報を販売先情報として前記商品の注文を受け付ける処理とを有することを特徴とする。
【００１５】
また、前記顧客情報を登録した際に、該顧客情報に対応づけられた前記識別情報と、前記第１の情報画面にアクセスするためのアクセス情報とを前記端末に通知する処理を有することを特徴とする。
【００１６】
また、ネットワークを介して商品を販売する商品販売システムであって、
前記商品を特定するための特定コードが掲載された告知媒体と、
前記ネットワークに接続可能に構成され、前記特定コードを指定するための端末と、
前記ネットワークに接続可能に構成され、前記特定コードと該特定コードにより特定される商品とを対応づけて管理しておき、前記端末にて前記特定コードが指定された場合に、該特定コードによって特定される商品を認識し、該商品の注文を受け付ける商品販売提供手段とを有することを特徴とする。
【００１７】
また、前記商品販売手段は、前記商品の販売先に関する販売先情報を該販売先情報を識別可能な識別情報と対応づけて管理しておき、前記端末にて前記識別情報が指定された場合に該識別情報によって識別される販売先に対して、前記商品の注文を受け付けることを特徴とする。
【００１８】
また、前記商品販売手段は、前記販売先情報が前記識別情報と対応づけて管理されている販売先のみに対して商品の注文を受け付けることを特徴とする。
【００１９】
また、告知媒体に掲載された特定コードによって指定された商品を販売する商品販売サーバであって、
前記特定コードと該特定コードにより特定される商品とを対応づけて管理しておき、前記端末にて前記特定コードが指定された場合に、該特定コードによって特定される商品を認識し、該商品の注文を受け付けることを特徴とする。
【００２０】
また、前記商品の販売先に関する販売先情報を該販売先情報を識別可能な識別情報と対応づけて管理しておき、前記端末にて前記識別情報が指定された場合に該識別情報によって識別される販売先に対して、前記商品の注文を受け付けることを特徴とする。
【００２１】
また、前記販売先情報が前記識別情報と対応づけて管理されている販売先のみに対して商品の注文を受け付けることを特徴とする。
【００２２】
（作用）
上記のように構成された本発明においては、ネットワークに接続可能な端末を介して入力された顧客情報を該顧客情報を識別可能な識別情報と対応づけて登録しておき、その後、登録された識別情報を入力するための第１の情報画面を端末に送信し、この第１の情報画面に入力された識別情報が予め登録されているものである場合に、商品を特定するための第２の情報画面を端末に送信し、さらに、第２の情報画面にて特定された商品に関する情報が掲載された第３の情報画面を端末に送信し、第３の情報画面にて商品の注文が行われた場合に、第１の情報画面に入力された識別情報によって識別される顧客情報を販売先情報として商品の注文を受け付けるので、販売される商品の販売元が複数存在する場合においても、商品を注文する利用者が、顧客情報を予め登録しておき、この顧客情報に対応づけられた識別情報を第１の情報画面に入力し、その後、第２の情報画面を用いて所望の商品を特定するだけで、商品の注文が受け付けられることになる。
【００２３】
【発明の実施の形態】
以下に、本発明の実施の形態について図面を参照して説明する。
【００２４】
図１は、本発明の商品販売システムの実施の一形態を示す図である。
【００２５】
本形態は図１に示すように、ネットワーク４０に接続可能なパーソナルコンピュータや携帯電話機等の端末２０と、会員登録や商品注文を行うための情報画面をネットワーク４０を介して端末２０に提供するとともに、端末２０を介して入力された個人情報を会員情報データベース５２に登録し、また、端末２０にて指定された情報に従って、商品情報データベース５１及び会員情報データベース５２を参照して商品の注文を受け付ける商品販売サーバ３０と、商品販売サーバ３０から提供される情報画面を用いて、所望の商品を指定するための情報が掲載された告知媒体である印刷物１０とから構成されている。なお、印刷物１０及び端末２０は、それぞれ１つずつしか図示していないが、複数存在するものとする。また、商品販売サーバ３０は、会員登録や商品注文を行うための情報画面をネットワーク４０を介して端末２０に提供するサイト管理部３１と、サイト管理部３１から提供された情報画面に入力された個人情報を会員情報データベース５２に登録し、また、サイト管理部３１から提供された情報画面に入力された情報に基づいて商品情報データベース５１及び会員情報データベース５２を検索するデータベース管理部３２とから構成されている。
【００２６】
以下に、上記のように構成された商品販売システムにおける商品販売方法についてフローチャートを参照して説明する。
【００２７】
まず、利用者が端末２０を介して会員登録する際の処理について説明する。
【００２８】
図２は、図１に示した商品販売システムにおける会員登録の処理を説明するためのフローチャートである。
【００２９】
端末２０の利用者が印刷物１０に掲載された商品を注文する場合は、まず、会員登録する必要がある。
【００３０】
図３は、図１に示した印刷物１０の一例を示す図である。
【００３１】
図３に示すように、図１に示した印刷物１０には、ネットワーク４０を介して販売される商品を示す商品情報２ａ〜２ｃと、これら商品情報２ａ〜２ｃにそれぞれ付与された商品コード３ａ〜３ｃとが掲載されている。また、これら商品情報２ａ〜２ｃによって示される商品を注文するにあたり会員登録するための情報画面を取得するための電子メールアドレス４が掲載されている。
【００３２】
端末２０にて電子メールアドレス４を送信先とした電子メールが送信され（ステップＳ１）、この電子メールが商品販売サーバ３０にて受信されると（ステップＳ２）、商品販売サーバ３０から、会員登録するための会員登録画面のアクセス情報が記載された電子メールが端末２０に返信される（ステップＳ３）。なお、印刷物１０に掲載された電子メールアドレス４を送信先として端末２０から送信される電子メールは、いわゆる空メールと呼ばれるものであって、本文や添付ファイル等は含まれていないものである。
【００３３】
商品販売サーバ３０から返信された電子メールが端末２０にて受信、表示された後（ステップＳ４）、端末２０に表示された電子メールに含まれる、会員登録画面のアクセス情報が指定されると（ステップＳ５）、商品販売サーバ３０のサイト管理部３１から会員登録画面が送信され（ステップＳ６）、端末２０にて受信、表示される（ステップＳ７）。
【００３４】
図４は、図１に示した商品販売サーバ３０から送信され、端末２０にて受信、表示される会員登録画面の一例を示す図である。
【００３５】
図４に示すように、図１に示した商品販売サーバ３０から送信され、端末２０にて受信、表示される会員登録画面においては、会員登録するユーザの氏名や電子メールアドレス、電話番号、住所等を入力するための領域が設けられているとともに、商品販売に伴う決済を行う際のクレジットカード情報を入力するための領域が設けられており、これらは端末２０の画面のサイズに応じてスクロール表示される。
【００３６】
端末２０に表示された会員登録画面に、上述したような個人情報が入力されて送信され（ステップＳ８）、商品販売サーバ３０にて端末２０から送信された個人情報が受信されると（ステップＳ９）、まず、商品販売サーバ３０において、受信された個人情報によって会員登録が可能であるかが判断される（ステップＳ１０）。このステップＳ１０における判断は、主に、端末２０から送信された個人情報に含まれるクレジットカード情報によるカード与信によるものである。
【００３７】
ステップＳ１０において会員登録が可能であると判断された場合は、商品販売サーバ３０のサイト管理部３１から、ステップＳ８にて端末２０に入力された個人情報を確認するための個人情報確認画面が送信され（ステップＳ１１）、端末２０にて受信、表示される（ステップＳ１２）。
【００３８】
図５は、図１に示した商品販売サーバ３０から送信され、端末２０にて受信、表示される個人情報確認画面の一例を示す図である。
【００３９】
図５に示すように、図１に示した商品販売サーバ３０から送信され、端末２０にて受信、表示される個人情報確認画面には、ステップＳ８にて端末２０に入力された個人情報９が掲載されるとともに、個人情報確認画面に掲載された個人情報９にて会員登録する場合に押下する確認ボタン６ａと、個人情報９を変更する場合に押下する修正ボタン６ｂとが設けられいる。
【００４０】
一方、ステップＳ１０において会員登録が不可能であると判断された場合は、商品販売サーバ３０から、ステップＳ８にて端末２０に入力された個人情報では会員登録が不可能である旨が端末２０に通知される（ステップＳ１３，Ｓ１４）。
【００４１】
図５に示したような個人情報確認画面が端末２０に表示された後、個人情報確認画面に掲載された個人情報９にて会員登録する場合（ステップＳ１５）、個人情報確認画面に設けられた確認ボタンを押下すると（ステップＳ１６）、会員登録された旨が掲載された情報画面が商品販売サーバ３０のサイト管理部３１から送信され（ステップＳ１７）、この情報画面が端末２０にて受信、表示される（ステップＳ１８）。
【００４２】
また、商品販売サーバ３０においては、会員登録されたユーザにＩＤ及びパスワードが発行され（ステップＳ１９）、商品販売サーバ３０のデータベース管理部３２において、個人情報確画面に掲載された個人情報９が、ＩＤ及びパスワードと対応づけられて会員データベース５２に登録される（ステップＳ２０）。なお、ＩＤ及びパスワードにおいては、商品販売サーバ３０にて任意に設定するのではなく、会員登録されるユーザの希望のＩＤやパスワードを問う情報画面を端末２０に送信し、その情報画面を用いて指定されたユーザの希望に合わせて設定することも考えられる。
【００４３】
その後、商品販売サーバ３０から、発行されたＩＤ及びパスワードと、このＩＤ及びパスワードを用いて商品を購入するためのショッピングサイトにアクセスするためのアクセス情報とが電子メール等の手段によって端末２０に通知され（ステップＳ２１，Ｓ２２）、会員登録したユーザは、その後、商品販売サーバ３０から通知されたＩＤ及びパスワード、並びにアクセス情報を用いて商品の注文を行うことになる。
【００４４】
一方、ステップＳ１５において、個人情報確認画面に掲載された個人情報９を変更する場合、個人情報確認画面に設けられた修正ボタンを押下すると（ステップＳ２３）、商品販売サーバ３０のサイト管理部３１から、個人情報を変更するための画面が送信され（ステップＳ２４）、端末２０にて受信、表示される（ステップＳ２５）。ここで、商品販売サーバ３０のサイト管理部３１から送信され、端末２０にて受信、表示される、個人情報を変更する画面には、ステップＳ８にて入力された個人情報が含まれており、この個人情報のうち、所望の情報を修正することになる。
【００４５】
商品販売サーバ３０のサイト管理部３１から送信され、端末２０にて受信、表示される、個人情報を変更する画面において個人情報が修正されて送信され（ステップＳ２６）、商品販売サーバ３０にて受信されると（ステップＳ２７）、商品販売サーバ３０において、修正された個人情報がクレジットカード情報であるかどうかが判断され（ステップＳ２８）、修正された個人情報がクレジットカード情報である場合は、ステップＳ１０における処理に移行し、修正された個人情報にて会員登録が可能であるかどうかが判断され、また、修正された個人情報がクレジットカード情報ではない場合は、ステップＳ１１における処理に移行し、修正された個人情報を確認するための個人情報確認画面が商品販売サーバ３０から端末２０に送信される。
【００４６】
次に、商品販売サーバ３０から通知されたＩＤ及びパスワード、並びにアクセス情報を用いて商品の注文を行う際の処理について説明する。
【００４７】
図６は、図１に示した商品販売システムにおける商品注文の処理を説明するためのフローチャートである。
【００４８】
まず、利用者が端末２０を用いて、商品販売サーバ３０にて管理され、ネットワーク４０を介して商品を注文するためのショッピングサイトにアクセスすると（ステップＳ１０１）、商品販売サーバ３０のサイト管理部３１から、ショッピングサイトにログインするための第１の情報画面であるログイン画面が送信され（ステップＳ１０２）、端末２０にて受信されて表示される（ステップＳ１０３）。ここで、利用者は、会員登録した際に予め商品販売サーバ３０から通知された（図２中ステップＳ２２）アクセス情報を用いてショッピングサイトにアクセスすることになる。
【００４９】
図７は、図１に示したサイト管理部３１から送信され、端末２０にて表示されるログイン画面の一例を示す図である。
【００５０】
図７に示すように、図１に示したサイト管理部３１から送信され、端末２０にて表示されるログイン画面においては、ショッピングサイトにログインするためのＩＤ入力領域５ａ及びパスワード入力領域５ｂとが設けられており、利用者は、端末２０に表示されたログイン画面のＩＤ入力領域５ａ及びパスワード入力領域５ｂに、会員登録した際に予め商品販売サーバ３０から通知された（図２中ステップＳ２２）ＩＤ及びパスワードを入力することになる。
【００５１】
端末２０に表示されたログイン画面のＩＤ入力領域５ａ及びパスワード入力領域５ｂにＩＤ及びパスワードが入力されてこれらＩＤ及びパスワードが送信され（ステップＳ１０４）、商品販売サーバ３０にて受信されると（ステップＳ１０５）、商品販売サーバ３０のデータベース管理部３２において、受信されたＩＤ及びパスワードを用いて会員情報データベース５２が検索される（ステップＳ１０６）。
【００５２】
受信されたＩＤ及びパスワードが会員情報データベース５２に登録されている場合（ステップＳ１０７）、商品販売サーバ３０のサイト管理部３１から、商品を指定するための第２の情報画面である商品指定画面が送信され（ステップＳ１０８）、この商品指定画面は端末２０にて受信、表示される（ステップＳ１０９）。
【００５３】
図８は、図１に示したサイト管理部３１から送信され、端末２０にて表示される商品指定画面の一例を示す図である。
【００５４】
図８に示すように、図１に示したサイト管理部３１から送信され、端末２０にて表示される商品指定画面においては、所望の商品に付与された商品コード３ａ〜３ｃ（図３参照）を入力するための商品コード入力領域６が設けられており、利用者は、端末２０に表示された商品指定画面の商品コード入力領域６に、所望の商品に付与された商品コードを入力することになる。
【００５５】
また、端末２０から送信され、商品販売サーバ３０にて受信されたＩＤ及びパスワードが会員情報データベース５２に登録されていない場合は、端末２０を介して入力されたＩＤ及びパスワードが正しくない旨が商品販売サーバ３０から端末２０に通知される（ステップＳ１１０，Ｓ１１１）。
【００５６】
端末２０に表示された商品指定画面の商品コード入力領域６に商品コードが入力されてこの商品コードが送信され（ステップＳ１１２）、商品販売サーバ３０にて受信されると（ステップＳ１１３）、商品販売サーバ３０のデータベース管理部３２において、受信された商品コードを用いて商品情報データベース５１が検索される（ステップＳ１１４）。ここで、商品情報データベース５１においては、販売される商品に関する情報が商品コードと対応づけて登録されており、データベース管理部３２において、商品コードによって商品情報を特定することができる。
【００５７】
受信された商品コードによって特定される商品情報が商品情報データベース５１に登録されている場合（ステップＳ１１５）、商品販売サーバ３０のサイト管理部３１から、商品コードによって特定される商品情報が掲載された第３の情報画面である商品情報掲載画面が送信され（ステップＳ１１６）、この商品情報掲載画面は端末２０にて受信、表示される（ステップＳ１１７）。
【００５８】
図９は、図１に示したサイト管理部３１から送信され、端末２０にて表示される商品情報掲載画面の一例を示す図である。
【００５９】
図９に示すように、図１に示したサイト管理部３１から送信され、端末２０にて表示される商品情報掲載画面においては、ステップＳ１１２にて入力された商品コードによって特定される商品に関する商品情報７が掲載されているとともに、その商品を購入する場合に購入数量を入力する数量入力領域８が設けられており、利用者は、端末２０に表示された商品情報掲載画面の数量入力領域８に、購入数量を入力することになる。
【００６０】
また、端末２０から送信され、商品販売サーバ３０にて受信された商品コードによって特定される商品情報が商品情報データベース５１に登録されていない場合は、端末２０を介して入力された商品コードが正しくない旨が商品販売サーバ３０から端末２０に通知される（ステップＳ１１８，Ｓ１１９）。
【００６１】
利用者が、端末２０に表示された商品情報掲載画面に掲載された商品情報による商品を注文する場合（ステップＳ１２０）、商品情報掲載画面に掲載された数量入力領域８に購入数量を入力し（ステップＳ１２１）、注文ボタンを押下すると（ステップＳ１２２）、商品販売サーバ３０において、ステップＳ１０５にて受信されたＩＤ及びパスワードによって特定される会員について、ステップＳ１１３にて受信された商品コードによって特定される商品の、ステップＳ１２１にて指定された数量だけの注文が受け付けられる（ステップＳ１２３）。
【００６２】
その後、商品販売サーバ３０から、注文を受け付けた旨が掲載された画面が端末２０に送信される（ステップＳ１２４，Ｓ１２５）。
【００６３】
また、端末２０に表示された商品情報掲載画面に掲載された商品を注文しない場合は、商品情報掲載画面に含まれる再指定ボタンを押下すると（ステップＳ１２６）、ステップＳ１０９における処理に戻り、商品コードを入力するための商品指定画面が端末２０に表示され、商品の再指定が可能となる。
【００６４】
なお、本形態においては、告知媒体として印刷物１０を例に挙げて説明したが、本発明における告知媒体はこれに限らず、看板、インターネット上の情報画面、テレビ画面等、様々な手段によって提供されるものである。
【００６５】
【発明の効果】
上記のように構成された本発明においては、ネットワークを介して商品を販売する商品販売方法において、ネットワークに接続可能な端末を介して入力された顧客情報を該顧客情報を識別可能な識別情報と対応づけて登録しておく処理と、識別情報を入力するための第１の情報画面を端末に送信する処理と、第１の情報画面に入力された識別情報が予め登録されているものである場合に、商品を特定するための第２の情報画面を端末に送信する処理と、第２の情報画面にて特定された商品に関する情報が掲載された第３の情報画面を端末に送信する処理と、第３の情報画面にて商品の注文が行われた場合に、第１の情報画面に入力された識別情報によって識別される顧客情報を販売先情報として商品の注文を受け付ける処理とを有する構成としたため、販売される商品の販売元が複数存在する場合においても、商品を注文する利用者が、顧客情報を予め登録しておき、この顧客情報に対応づけられた識別情報を第１の情報画面に入力し、その後、第２の情報画面を用いて所望の商品を特定するだけで、商品の注文が受け付けられることになり、それにより、ネットワークを介しての商品の注文の手間を軽減することができる。
【００６６】
また、システムとしては、ネットワークを介して商品を販売する商品販売システムにおいて、商品を特定するための特定コードが掲載された告知媒体と、ネットワークに接続可能に構成され、特定コードを指定するための端末と、ネットワークに接続可能に構成され、特定コードと該特定コードにより特定される商品とを対応づけて管理しておき、端末にて特定コードが指定された場合に、該特定コードによって特定される商品を認識し、該商品の注文を受け付ける商品販売提供手段とを有する構成としたため、販売される商品の販売元が複数存在する場合においても、商品販売手段にアクセスし、告知媒体に掲載された特定コードを指定するだけで、その特定コードによって特定される商品を注文することができ、それにより、告知媒体に掲載された商品のネットワークを介しての注文の手間を軽減することができる。
【図面の簡単な説明】
【図１】本発明の商品販売システムの実施の一形態を示す図である。
【図２】図１に示した商品販売システムにおける会員登録の処理を説明するためのフローチャートである。
【図３】図１に示した印刷物の一例を示す図である。
【図４】図１に示した商品販売サーバから送信され、端末にて受信、表示される会員登録画面の一例を示す図である。
【図５】図１に示した商品販売サーバから送信され、端末にて受信、表示される個人情報確認画面の一例を示す図である。
【図６】図１に示した商品販売システムにおける商品注文の処理を説明するためのフローチャートである。
【図７】図１に示したサイト管理部から送信され、端末にて表示されるログイン画面の一例を示す図である。
【図８】図１に示したサイト管理部から送信され、端末にて表示される商品指定画面の一例を示す図である。
【図９】図１に示したサイト管理部から送信され、端末にて表示される商品情報掲載画面の一例を示す図である。
【符号の説明】
２ａ〜２ｃ，７    商品情報
３ａ〜３ｃ    商品コード
４    電子メールアドレス
５ａ    ＩＤ入力領域
５ｂ    パスワード入力領域
６    商品コード入力領域
８    数量入力領域
９    個人情報
１０    印刷物
２０    端末
３０    商品販売サーバ
３１    サイト管理部
３２    データベース管理部
４０    ネットワーク
５１    商品情報データベース
５２    会員情報データベース
【図１】
2004199431.tif 000003
【図２】
2004199431.tif 000004
【図３】
2004199431.tif 000005
【図４】
2004199431.tif 000006
【図５】
2004199431.tif 000007
【図６】
2004199431.tif 000008
【図７】
2004199431.tif 000009
【図８】
2004199431.tif 000010
【図９】
2004199431.tif 000011